(57)【特許請求の範囲】
【請求項１】
合成樹脂で形成された、インキ貯留部のインキを紙面に供給するためのペン体であって、
該ペン体は、対向した、一対の長辺と一対の短辺とで形成する略矩形状の外周壁と、
該外周壁の内部を、対向した長辺を分割するように仕切り、かつ前記ペン体の長手方向に延びる複数の仕切り壁と、
前記外周壁と前記仕切り壁とで囲まれた、前記ペン体の長手方向に延びるインキが導かれない空腔と、
前記外周壁と前記仕切り壁とで囲まれた、前記ペン体の長手方向に延びる複数のインキ導出腔とからなり、
前記インキ導出腔は、その内部に、前記仕切り壁の厚みより薄い複数の枝壁が設けられ、インキを導く毛細管作用を営むように形成され、しかも、前記空腔と前記インキ導出腔とは、交互に前記外周壁の長辺に沿って配置されていることを特徴とする複数線引き用ペン体。
【請求項２】
前記外周壁と前記仕切り壁とは、ほぼ同じ程度の厚みを有する壁体で構成され、前記インキ導出腔の前記枝壁は、前記壁体の厚みの約２分の１程度の厚みを有していることを特徴とする請求項１に記載の複数線引き用ペン体。
【請求項３】
前記インキ導出腔の前記枝壁は、前記外周壁の長辺から該外周壁の短辺に沿って延び、かつ自由端を備えていることを特徴とする請求項１または２に記載の複数線引き用ペン体。
【請求項４】
前記インキ導出腔の前記枝壁は、前記外周壁と前記仕切り壁との間または前記仕切り壁と前記仕切り壁との間に渡って形成された、長辺に沿って延びる連結壁から前記外周壁の長辺側に向かって延び、かつ自由端を備えていることを特徴とする請求項１または２に記載の複数線引き用ペン体。
【発明の詳細な説明】
【技術分野】
【０００１】
本発明は、筆記具本体に組み込まれ、訂正線等、所定線幅を有する線を複数同時に筆記可能とする複数線引き用ペン体に関するものである。
【背景技術】
【０００２】
所定線幅を有する線を複数同時に筆記可能な複数線引き用ペン体の従来技術としては、特許文献１の合成樹脂製ペン先が開示されている。
すなわち、この特許文献１に開示された合成樹脂製ペン先は、軸方向に延びる複数のインキ通路と、インキが導出されない腔孔とを有し、先端部に扁平な筆記先端部を備えている。このペン先を詳述すると、図１０に示す横断面形状において、一対の長辺外壁４、４と一対の短辺外壁５、５とにより形成される外周壁６で囲まれる部位に、長辺方向に延びる幹状リブ２２ｂ及び該幹状リブ２２ｂと交差するように幹状リブ２２ｂと長辺外壁４とに接続された短辺方向に延びる複数の枝状リブ２２ａ、２２ａを形成することによって、複数の独立した略四辺形状に形成されたインキ通路２０、２０と、インキが導かれない略四辺形状の腔孔２１とを長辺方向に沿って交互に配置して構成されている。
そして、この合成樹脂製ペン先で筆記すると、複数の独立した各インキ通路２０、２０からはインキが導出されると共に、各腔孔２１、２１からはインキが導出されないので、図１１に示すような、各腔孔２１、２１の幅の分だけが抜け、縞状に筆記されることになる。
【特許文献１】実用新案登録第２５４５９０８号公報
【発明の開示】
【発明が解決しようとする課題】
【０００３】
しかしながら、特許文献１に開示された合成樹脂製ペン先では、図１０に示すように、インキが導かれない各腔孔２１に面する枝状リブ２２ａ、２２ａの内、一方の枝状リブ２２ａが腔孔２１内に突出するように折曲しており、このペン先で筆記した場合、線と空間と境界が鮮明にならず、均一な線幅を得ることが困難となっていた。
【０００４】
本発明は、かかる点に鑑みてなされたものであり、複数の線を鮮明に筆記可能とする複数線引き用ペン体を提供することを目的とする。
【課題を解決するための手段】
【０００５】
本発明は、上記課題を解決するための手段として、請求項１に記載した発明は、合成樹脂で形成された、インキ貯留部のインキを紙面に供給するためのペン体であって、該ペン体は、対向した、一対の長辺と一対の短辺とで形成する略矩形状の外周壁と、該外周壁の内部を、対向した長辺を分割するように仕切り、かつ前記ペン体の長手方向に延びる複数の仕切り壁と、前記外周壁と前記仕切り壁とで囲まれた、前記ペン体の長手方向に延びるインキが導かれない空腔と、前記外周壁と前記仕切り壁とで囲まれた、前記ペン体の長手方向に延びる複数のインキ導出腔とからなり、前記インキ導出腔は、その内部に、前記仕切り壁の厚みより薄い複数の枝壁が設けられ、インキを導く毛細管作用を営むように形成され、しかも、前記空腔と前記インキ導出腔とは、交互に前記外周壁の長辺に沿って配置されていることを特徴とするものである。
従って、請求項１の発明では、インキが導出される複数のインキ導出腔と、インキが導かれない空腔とが交互に外周壁の長辺に沿って配置されているので、所定線幅を有する線が複数同時に筆記可能となり、しかも、各空腔に面する仕切り壁は、各空腔内に突出するように折曲されずに略直線状に延びているので、筆記した際、線と空間との境界が鮮明となり、複数の線が鮮明に筆記される。さらに、各インキ導出腔内には、インキを導く毛細管作用を営む枝壁が複数設けられているので、インキ貯留部のインキを効率良く各インキ導出腔から紙面に供給することができる。
【０００６】
請求項２に記載した発明は、請求項１に記載した発明において、前記外周壁と前記仕切り壁とは、ほぼ同じ程度の厚みを有する壁体で構成され、前記インキ導出腔の前記枝壁は、前記壁体の厚みの約２分の１程度の厚みを有していることを特徴とするものである。
従って、請求項２の発明では、仕切り壁が、外周壁とほぼ同じ程度の厚みを有しているので、成形後、各空腔に面する仕切り壁が各空腔内に突出するように折曲するのを防ぐ。
【０００７】
請求項３に記載した発明は、請求項１または２に記載した発明において、前記インキ導出腔の前記枝壁は、前記外周壁の長辺から該外周壁の短辺に沿って延び、かつ自由端を備えていることを特徴とするものである。
従って、請求項３の発明では、各インキ導出腔内の枝壁は、外周壁の長辺から短辺に沿って延び、その先端が自由端であるので、この枝壁によってさらなる毛細管作用が営まれ、インキをさらに効率良く紙面に供給でき、複数の線が鮮明に筆記される。
【０００８】
請求項４に記載した発明は、請求項１または２に記載した発明において、前記インキ導出腔の前記枝壁は、前記外周壁と前記仕切り壁との間または前記仕切り壁と前記仕切り壁との間に渡って形成された、長辺に沿って延びる連結壁から前記外周壁の長辺側に向かって延び、かつ自由端を備えていることを特徴とするものである。
従って、請求項４の発明では、各インキ導出腔内の枝壁は、連結壁から外周壁の長辺側に向かって延び、その先端が自由端であるので、この枝壁によってさらなる毛細管作用が営まれ、インキをさらに効率良く紙面に供給でき、複数の線が鮮明に筆記される。
【発明の効果】
【０００９】
本発明によれば、外周壁と仕切り壁とで囲まれたペン先の長手方向に延びる複数のインキ導出腔と、外周壁と仕切り壁とで囲まれたペン先の長手方向に延びるインキが導かれない空腔とが交互に外周壁の長辺に沿って配置されており、各インキ導出腔内には仕切り壁の厚みよりも薄い複数の枝壁が設けられ、インキを導く毛細管作用を営み、しかも、各空腔に面する仕切り壁は、外周壁の短辺に沿って直線状に延び各空腔内へ突出するように折曲していないので、このペン先の筆記面を紙面に滑らせると、線と空間との境が鮮明となり、複数の線を鮮明に筆記することができる。
【発明を実施するための最良の形態】
【００１０】
以下、本発明を実施するための最良の形態を図１〜図９に基いて詳細に説明する。なお、従来例と同一部材は同一符号を使用して説明する。
本発明の実施の形態に係る複数線引き用ペン体１、１ａ、１ｂ、１ｃは、図２に示すように、合成樹脂、例えば、柔軟性と強靭さを有する熱可塑性樹脂のポリオキシメチレン、ポリアミド、ポリフッ化ビニリデン、ＥＶＡ樹脂（エチレン・酢酸ビニル共重合体）、またはポリオレフィンエラストマー、ポリエステルエラストマー、ポリアミドエラストマー等の熱可塑性エラストマー等を用い、押出成型のモノフィラメント自着方式によって略四角柱状に形成されたものである。そして、本ペン体１、１ａ、１ｂ、１ｃは、先端の筆記面３が筆記具本体２の端部から露出するように、筆記具本体２に組み込まれて、筆記具本体２に内蔵されたインキ貯留部（図示略）のインキを紙面に供給している。
【００１１】
図３、図５、図６及び図８は、本発明の実施の形態に係る複数線引き用ペン体１、１ａ、１ｂ、１ｃの横断面図であり、図３、図５、図６及び図８から解るように、本発明の実施の形態に係る複数線引き用ペン体１、１ａ、１ｂ、１ｃは、対向した、一対の長辺外壁４、４と一対の短辺外壁５、５とからなる略矩形状の外周壁６と、該外周壁６の内部を、対向した長辺外壁４、４を分割するように仕切り、かつペン体１、１ａ、１ｂ、１ｃの長手方向に延びる複数の仕切り壁７、７と、外周壁６と仕切り壁７とで囲まれ、ペン体１、１ａ、１ｂ、１ｃの長手方向に延びインキが導かれない空腔８と、外周壁６と仕切り壁７とで囲まれ、ペン体１、１ａ、１ｂ、１ｃの長手方向に延びインキが導かれる複数のインキ導出腔９、９とからなり、各インキ導出腔９、９内には、インキを導く毛細管作用を営む枝壁１０、１０が複数設けられて、しかも、空腔８とインキ導出腔９とが交互に外周壁６の長辺外壁４に沿って配置されている。そして、このペン体１、１ａ、１ｂ、１ｃの筆記面３を紙面に滑らせると、図４、図７または図９に示すような、所定の線幅を有する線が複数同時に筆記される。
なお、外周壁６及び仕切り壁７等、本ペン体１、１ａ、１ｂ、１ｃを形成する壁は、複数のモノフィラメントを自着させているので、その表面が凹凸条に形成されている。
また、図２に示すように、本ペン体１、１ａ、１ｂ、１ｃ先端の筆記面３は、一対の長辺外壁４、４の部分が楔状に切削されているため、筆記面３には一対の長辺外壁４、４の面が現出されていない。
【００１２】
そして、上述した本発明の実施の形態に係る複数線引き用ペン体１、１ａ、１ｂ、１ｃは、次に説明する４形態で構成されるようになる。
まず、本発明の第１の実施の形態に係る複数線引き用ペン体１を図３に基いて説明する。
本発明の第１の実施の形態に係る複数線引き用ペン体１は、その筆記面３を紙面に滑らせると、図４に示すような、所定線幅の線が４線同時に筆記可能となる。この第１の実施形態に係る複数線引き用ペン体１は、略矩形状の外周壁６の内部に、短辺外壁５に沿って略直線状に延びる仕切り壁７が間隔を置いて６箇所配置されている。外周壁６と各仕切り壁７とは、ほぼ同じ程度の厚みを有する壁体１３で構成されている。
また、ペン体１の外周壁６の内部であって、その左右両側に、外周壁６と、仕切り壁７とで囲まれた部位の２箇所、また、中央付近に間隔を置いて、一対の長辺外壁４、４と、対向する仕切り壁７、７とで囲まれた部位の２箇所の全４箇所に、インキ貯留部からのインキが導出されるインキ導出腔９、９がそれぞれ形成されている。また、外周壁６の内部には、各インキ導出腔９、９の間で、一対の長辺外壁４、４と、対向する仕切り壁７、７とで囲まれた部位の３箇所に、インキが導かれない空腔８、８がそれぞれ形成されている。
【００１３】
さらに、各インキ導出腔９内には、インキを導く毛細管作用を営む枝壁１０、１０がペン体１の長手方向に複数（図３では２箇所）延びており、さらに、図３に示す横断面形状において、これらの枝壁１０、１０は、一対の長辺外壁４、４のそれぞれから短辺外壁５に沿って延び、それぞれの先端は自由端で、互いに隙間を開けて向き合うように一対配置されている。また、これらの枝壁１０、１０は、仕切り壁７及び外周壁６で構成される壁体１３の厚みのほぼ２分の１程度の厚みを有している。
【００１４】
次に、本発明の第２の実施の形態に係る複数線引き用ペン体１ａを図５に基いて説明する。
本発明の第２の実施の形態に係る複数線引き用ペン体１ａは、その筆記面３を紙面に滑らせると、図７に示すような、所定線幅の線が３線同時に筆記可能となる。この第２の実施形態に係る複数線引き用ペン体１ａは、略矩形状の外周壁６の内部に、短辺外壁５に沿って略直線状に延びる仕切り壁７が間隔を置いて４箇所配置されている。
また、ペン体１ａの外周壁６の内部であって、その左右両側に、外周壁６と、仕切り壁７とで囲まれた部位の２箇所、また、略中央に、一対の長辺外壁４、４と、対向する仕切り壁７、７とで囲まれた部位の１箇所の全３箇所に、インキ貯留部からのインキが導出されるインキ導出腔９、９がそれぞれ形成されている。また、外周壁６の内部には、各インキ導出腔９、９の間で、一対の長辺外壁４、４と、対向する仕切り壁７、７とで囲まれた部位の２箇所に、インキが導かれない空腔８、８がそれぞれ形成されている。
【００１５】
さらに、各インキ導出腔９内には、インキを導く毛細管作用を営む枝壁１０、１０がペン体１ａの長手方向に複数（図５では４箇所）延びており、さらに、図５に示す横断面形状において、これらの枝壁１０、１０は、一対の長辺外壁４、４のそれぞれから短辺外壁５に沿って延び、それぞれの先端は自由端で、互いに隙間を開けて向き合うように２対配置されている。また、これらの枝壁１０、１０は、第１の実施形態と同様に、仕切り壁７及び外周壁６で構成される壁体１３の厚みのほぼ２分の１程度の厚みを有している。
【００１６】
次に、本発明の第３の実施の形態に係る複数線引き用ペン体１ｂを図６に基いて説明する。
本発明の第３の実施の形態に係る複数線引き用ペン体１ｂは、その筆記面３を紙面に滑らせると、図７に示すような、所定線幅の線が３線同時に筆記可能となる。この第３の実施形態に係る複数線引き用ペン体１ｂは、略矩形状の外周壁６の内部に、短辺外壁５に沿って略直線状に延びる仕切り壁７が間隔を置いて４箇所配置されている。
また、ペン体１ｂの外周壁６の内部であって、その左右両側に、外周壁６と、仕切り壁７とで囲まれた部位の２箇所、また、略中央に、一対の長辺外壁４、４と、対向する仕切り壁７、７とで囲まれた部位の１箇所の全３箇所に、インキ貯留部からのインキが導出されるインキ導出腔９、９がそれぞれ形成されている。また、外周壁６の内部には、各インキ導出腔９、９の間で、一対の長辺外壁４、４と、対向する仕切り壁７、７とで囲まれた部位の２箇所に、インキが導かれない空腔８、８がそれぞれ形成されている。
【００１７】
さらに、各インキ導出腔９には、その内部に縦連結壁１１と横連結壁１２とが十字状に交差して設けられている。この縦連結壁１１は、短辺外壁５に沿って延び、一対の長辺外壁４、４のそれぞれに接続されて設けられている。一方、横連結壁１２は、長辺外壁４に沿って延び、左右に位置する各インキ導出腔９内においては、仕切り壁７及び短辺外壁５それぞれの略中央に接続され、また、中央に位置するインキ導出腔９内においては、対向する仕切り壁７、７それぞれの略中央に接続されて設けられている。これら縦連結壁１１及び横連結壁１２は、仕切り壁７及び外周壁６を構成する壁体１３の厚さの約２分の１程度の厚さを有している。
これら縦連結壁１１及び横連結壁１２の形成により、各インキ導出腔９は、その内部に４つの独立した略矩形の導出腔９ａ、９ａが形成されるようになる。これらの導出腔９ａ内には、それぞれペン体１ｂの長手方向に沿って延びる枝壁１０が設けられており、図６に示す横断面形状において、この枝壁１０は、横連結壁１２から長辺外壁４側に向かって短辺外壁５に沿って延び、その先端が自由端で、長辺外壁４と隙間を開けるように配置されている。また、これらの枝壁１０、１０は、第１及び第２の実施形態と同様に、仕切り壁７及び外周壁６で構成される壁体１３の厚みのほぼ２分の１程度の厚みを有し、縦連結壁１１及び横連結壁１２の厚さと略同じである。
【００１８】
なお、第３の実施形態のように、横連結壁１２を設ける場合には、横連結壁１２の長さと、仕切り壁７の厚みとを、成形後に、横連結壁１２が空腔８内に突出して、仕切り壁７が空腔８内へ突出するように折曲することのないように設定する。
【００１９】
次に、本発明の第４の実施の形態に係る複数線引き用ペン体１ｃを図８に基いて説明する。
本発明の第４の実施の形態に係る複数線引き用ペン体１ｃは、その筆記面３を紙面に滑らせると、図９に示すような、所定線幅の線が２線同時に筆記可能となる。この第４の実施形態に係る複数線引き用ペン体１ｃは、略矩形状の外周壁６の内部に、短辺外壁５に沿って略直線状に延びる仕切り壁７が間隔を置いて２箇所配置されている。
また、ペン体１ａの外周壁６の内部であって、その左右両側に、外周壁６と、仕切り壁７とで囲まれた部位の２箇所に、インキ貯留部からのインキが導出されるインキ導出腔９、９がそれぞれ形成されている。また、外周壁６の内部には、各インキ導出腔９、９の間で、一対の長辺外壁４、４と、対向する仕切り壁７、７とで囲まれた部位の１箇所に、インキが導かれない空腔８が形成されている。
【００２０】
さらに、各インキ導出腔９内には、インキを導く毛細管作用を営む枝壁１０、１０がペン体１ｃの長手方向に複数（図８では４箇所）延びており、さらに、図８に示す横断面形状において、これらの枝壁１０、１０は、一対の長辺外壁４、４のそれぞれから短辺外壁５に沿って延び、それぞれの先端は自由端で、互いに隙間を開けて向き合うように２対配置されている。また、これらの枝壁１０、１０は、第１〜第３の実施形態と同様に、仕切り壁７及び外周壁６で構成される壁体１３の厚みのほぼ２分の１程度の厚みを有している。
【００２１】
以上説明したように、本発明の実施の形態に係る複数線引き用ペン体１、１ａ、１ｂ、１ｃによれば、インキが導出される複数のインキ導出腔９、９と、インキが導出されない空腔８とが外周壁６の長辺外壁４、４に沿って交互に配置されているので、複数の線が同時に筆記可能となる。しかも、外周壁６と仕切り壁７とはほぼ同じ厚みを有する壁体１３で形成され、仕切り壁７は、短辺外壁５に沿って略直線状に延び空腔８内へ突出するように折曲していないので、複数の線を鮮明に筆記することが可能になる。さらには、インキ導出腔９内には、インキを導く毛細管作用を営む枝壁１０が複数設けられているので、インキを効率良く紙面に供給することができる。
【図面の簡単な説明】
【００２２】
【図１】図１は、本発明の実施の形態に係る複数線引き用ペン体の使用状態を示す斜視図である。
【図２】図２は、本発明の実施の形態に係る複数線引き用ペン体の筆記面を示す斜視図である。
【図３】図３は、本発明の第１の実施の形態に係るペン体の横断面の拡大図である。
【図４】図４は、図３に示すペン体の筆跡図である。
【図５】図５は、本発明の第２の実施の形態に係るペン体の横断面の拡大図である。
【図６】図６は、本発明の第３の実施の形態に係るペン体の横断面の拡大図である。
【図７】図７は、図５及び図６に示すペン体の筆跡図である。
【図８】図８は、本発明の第４の実施の形態に係るペン体の横断面の拡大図である。
【図９】図９は、図８に示すペン体の筆跡図である。
【図１０】図１０は、従来のペン体の横断面の拡大図である。
【図１１】図１１は、図１０に示すペン体の筆跡図である。
【符号の説明】
【００２３】
１、１ａ、１ｂ、１ｃ    ペン体
４                      長辺外壁
５                      短辺外壁
６                      外周壁
７                      仕切り壁
８                      空腔
９                      インキ導出腔
１０                    枝壁
１１                    縦連結壁
１２                    横連結壁（連結壁）
１３                    壁体
【図１】
0004632051.tif 000002
【図２】
0004632051.tif 000003
【図３】
0004632051.tif 000004
【図４】
0004632051.tif 000005
【図５】
0004632051.tif 000006
【図６】
0004632051.tif 000007
【図７】
0004632051.tif 000008
【図８】
0004632051.tif 000009
【図９】
0004632051.tif 000010
【図１０】
0004632051.tif 000011
【図１１】
0004632051.tif 000012